(57)【要約】【課題】撮影する際に、トリミングされる画像領域を確認することができる撮像装置を提供する。【解決手段】被写体を撮像して画像データを生成する撮像部と、画像データが記録される際の第１の縦横比に対応する画像データに基づく画像を表示部に表示させるとともに、選択された第２の縦横比に対応する画像領域を示す情報を画像に重ねて表示させる表示制御部とを備える。【選択図】図１
2012044607.tif 000002
【特許請求の範囲】
【請求項１】
被写体を撮像して画像データを生成する撮像部と、
前記画像データが記録される際の第１の縦横比に対応する前記画像データに基づく画像を表示部に表示させるとともに、選択された第２の縦横比に対応する画像領域を示す情報を前記画像に重ねて表示させる表示制御部と、
を備えることを特徴とする撮像装置。
【請求項２】
前記画像データを記憶部または記憶媒体に記録させる記録制御部
を備え、
前記記録制御部は、前記画像データを記録させる場合、前記第２の縦横比に対応する前記画像領域を示す情報を、前記画像データに関連付けて前記記憶部または前記記憶媒体に記録させることを特徴とする請求項１に記載の撮像装置。
【請求項３】
前記表示制御部は、前記第２の縦横比に対応する前記画像領域を示す情報を表示部に表示させる場合、前記画像データに基づく前記画像の中心と前記画像領域の中心とを一致させ、且つ前記第２の縦横比に対応する前記画像領域の長辺と短辺とが、前記画像の長辺と短辺とにそれぞれ対応する方向に位置させた前記画像領域を示す情報を表示させる
ことを特徴とする請求項１または請求項２に記載の撮像装置。
【請求項４】
前記第１の縦横比に対応する前記画像データに基づく前記画像が、１：１の縦横比に対応する前記画像である場合において、
前記表示制御部は、前記第２の縦横比に対応する前記画像領域を示す情報を表示する場合、前記画像の中心と前記画像領域の中心とを一致させ、且つ前記第２の縦横比に対応する前記画像領域の長辺と短辺とが、長辺が横であって短辺が縦である方向と、長辺が縦であって短辺が横である方向とに位置させた２種類の前記画像領域を示す情報を、選択されることに応じて表示させる
ことを特徴とする請求項１から請求項３の何れか１項に記載の撮像装置。
【請求項５】
前記表示制御部は、前記第２の縦横比に対応する前記画像領域を示す情報を表示部に表示させる場合、前記画像領域を移動、拡大、縮小、または回転し、当該移動、拡大、縮小、または回転した前記画像領域を示す情報を表示させる
ことを特徴とする請求項１から請求項４の何れか１項に記載の撮像装置。
【請求項６】
前記表示制御部は、前記第２の縦横比に対応する前記画像領域を示す情報を表示部に表示させる場合、
前記第１の縦横比に対応する前記画像データに基づく前記画像の前記画像領域のうち、前記第２の縦横比に対応する前記画像領域の外の領域に、半透過のグレーを重ねて表示させる
ことを特徴とする請求項１から請求項５の何れか１項に記載の撮像装置。
【請求項７】
前記表示制御部は、前記第２の縦横比に対応する前記画像領域を示す情報を表示部に表示させる場合、
選択された複数種類の前記第２の縦横比に対応する前記画像領域を示す情報を表示させる
ことを特徴とする請求項１から請求項６の何れか１項に記載の撮像装置。
【請求項８】
前記記憶部または前記記憶媒体に記録された前記画像データを出力する出力制御部を備え、
前記出力制御部は、前記画像データを出力する場合、
前記画像データに関連付けられている前記第２の縦横比に対応する前記画像領域を示す情報を、前記画像データに関連付けて出力する
ことを特徴とする請求項２から請求項７の何れか１項に記載の撮像装置。
【請求項９】
前記記憶部または前記記憶媒体に記録されている前記画像データが読み出されて表示部に表示される場合、
前記表示制御部は、読み出された前記画像データに基づく前記画像を表示させるとともに、前記画像データに関連付けられている前記第２の縦横比に対応する前記画像領域を示す情報を、前記画像に重ねて表示させる
ことを特徴とする請求項２から請求項８の何れか１項に記載の撮像装置。
【請求項１０】
前記記憶部または前記記憶媒体に記録されている前記画像データに、関連付けて記録されている前記第２の縦横比に対応する前記画像領域を示す情報が、変更される操作がされた場合、
前記記録制御部は、変更された情報を前記画像データに関連付けて記録させる
ことを特徴とする請求項２から請求項９の何れか１項に記載の撮像装置。
【請求項１１】
前記第２の縦横比は、選択された印刷用紙のサイズに基づく縦横比である
ことを特徴とする請求項１から請求項１０の何れか１項に記載の撮像装置。
【請求項１２】
被写体を撮像して画像データを生成する撮像部と、
印刷用紙のサイズに基づく縦横比に対応する画像領域を示す情報を、前記画像データに基づく画像に重ねて表示部に表示させる表示制御部と、
を備えることを特徴とする撮像装置。
【発明の詳細な説明】
【技術分野】
【０００１】
本発明は、撮像装置に関する。
【背景技術】
【０００２】
近年、レンズを介して入力された被写体の光学像をＣＣＤ（Charge Coupled Device）等の撮像素子によりデジタルデータに変換し、画像データを記憶媒体に記録するデジタルカメラが、普及している。デジタルカメラで撮影した画像を印刷する方法としても、店頭に設置されている印刷機を利用する方法、インターネットを介したプリントサービスを利用する方法、または家庭用のプリンターを使用する方法など、様々な印刷方法により手軽に印刷できる環境になっている。また、デジタルカメラの高画質化に伴い、印刷用紙サイズは、小さいサイズのみならず大判のサイズ等も含め、様々な印刷用紙サイズが利用される機会が増えてきている。
【０００３】
しかし、一般に、コンパクトデジタルカメラの画像の縦横比は、３：４である場合が多い。それに対して、写真の印刷用紙サイズは、Ｌ判：８９×１２７ｍｍ、六切：２０３×２５４ｍｍ等であり、縦横比が３：４とは異なっている。そのため、デジタルカメラで３：４の縦横比で記録された画像を印刷する場合、印刷された画像において、記録された画像の一部が印刷されないことが発生する。
【０００４】
このため、ユーザーが、記録された画像に対して、印刷用紙サイズに対応する画像領域を選択する操作を行うことで、選択された画像領域に合わせて自動でトリミングする印刷システムが提案されている（例えば、特許文献１参照）。
【先行技術文献】
【特許文献】
【０００５】
【特許文献１】特開平１１−３３１５４２号公報
【発明の概要】
【発明が解決しようとする課題】
【０００６】
しかしながら、特許文献１に示したように、記録された画像を印刷する前にトリミングする方法では、ユーザーは、撮影する際に、トリミングされる画像領域を確認することができないという問題がある。
【０００７】
本発明は、このような事情に鑑みてなされたもので、その目的は、撮影する際に、トリミングされる画像領域を確認することができる撮像装置を提供することにある。
【課題を解決するための手段】
【０００８】
この発明は上述した課題を解決するためになされたもので、被写体を撮像して画像データを生成する撮像部と、前記画像データが記録される際の第１の縦横比に対応する前記画像データに基づく画像を表示部に表示させるとともに、選択された第２の縦横比に対応する画像領域を示す情報を前記画像に重ねて表示させる表示制御部とを備えることを特徴とする撮像装置である。
【０００９】
また、この発明は、被写体を撮像して画像データを生成する撮像部と、印刷用紙のサイズに基づく縦横比に対応する画像領域を示す情報を、前記画像データに基づく画像に重ねて表示部に表示させる表示制御部とを備えることを特徴とする撮像装置である。
【発明の効果】
【００１０】
この発明によれば、撮影する際に、トリミングされる画像領域（第２の縦横比に対応する画像領域）を確認することができる。
【図面の簡単な説明】
【００１１】
【図１】本発明の一実施形態による撮像装置１００の構成を示すブロック図である。
【図２】印刷用紙サイズ及び記録画素数の縦横比の情報を示す図である。
【図３】表示部７に、印刷領域を画像に重ねて表示させた一例を示す図である。
【図４】記録画素数の縦横比が９：１６の場合、表示部７に、印刷領域を画像に重ねて表示させた一例を示す図である。
【図５】印刷領域を表示させる処理の一例を示したフロー図である。
【図６】図５に示すフロー図において、表示部７に表示されるメニュー画面の一例を示す図である。
【図７】複数の印刷領域を選択する場合、表示部７に表示されるメニュー画面の一例を示す図である。
【図８】表示部７に２種類の印刷領域を表示させた一例を示す図である。
【図９】印刷領域を変更する場合、表示部７に表示されるメニュー画面の一例を示す図である。
【図１０】記録画素数の縦横比が１：１の場合、表示部７に、印刷領域を画像に重ねて表示させた一例を示す図である。
【図１１】表示部７に、変更された印刷領域を、画像に重ねて表示させた一例を示す図である。
【図１２】画像データを印刷させる処理の一例を示すフロー図である。
【図１３】図１４に示すフロー図において、表示部７に表示されるメニュー画面の一例を示した図である。
【図１４】画像データに関連付けられた印刷用紙サイズの情報に基づいて、印刷させる処理の一例を示すフロー図である。
【図１５】図１３示すフロー図において、表示部７に表示されるメニュー画面の一例を示す図である。
【図１６】印刷領域を変更する処理の一例を示すフロー図である。
【図１７】図１６に示すフロー図において、表示部７に表示されるメニュー画面の一例を示す図である。
【発明を実施するための形態】
【００１２】
以下、図面を参照して、本発明の実施形態について説明する。図１は、本発明の一実施形態による撮像装置１００の構成を示す概略ブロック図である。
図１に示すように、本実施形態における撮像装置１００は、撮像部２、ＣＰＵ（Central Processing Unit）３、画像処理部４、記憶部５、バッファメモリ部６、表示部７、カードコネクタ８、外部入出力部９、バス１０、及び操作部１１を備える。
【００１３】
撮像部２は、レンズ部２１、撮像素子２２、及びＡ/Ｄ変換部２３を備えており、被写体を撮像して画像データを生成する。この撮像部２は、設定された撮像条件（例えば絞り値、露出等）に基づいてＣＰＵ３により制御され、レンズ部２１を介して入力された被写体の光学像を、撮像素子２２の撮像面上に結像させる。また、撮像部２は、撮像素子２２から出力されるアナログ信号がＡ/Ｄ変換部２３においてデジタル信号に変換され、画像データを生成する。
なお、上述したレンズ部２１は、撮像装置１００に取り付けられて一体とされていてもよいし、撮像装置１００に着脱可能に取り付けられてもよい。
【００１４】
撮像素子２２は、例えばＣＣＤであって、撮像面に結像された光学像を光電変換したアナログ信号を、Ａ/Ｄ変換部２３に出力する。
Ａ/Ｄ変換部２３は、撮像素子２２から入力されたアナログ信号をデジタル信号に変換し、この変換したデジタル信号である画像データを出力する。
【００１５】
撮像部２は、操作部１１における静止画撮影操作に応じて、ＣＰＵ３に制御され、撮像した静止画の画像データを出力する。また、撮像部２は、例えば操作部１１における撮影操作がされていない撮影待機状態の場合、ＣＰＵ３に制御され、所定の間隔で連続的に得られる画像データをスルー画（スルー画像データ）として出力する。また、撮像部２は、操作部１１における動画撮影操作に応じて、ＣＰＵ３に制御され、所定の間隔で連続的に撮像した動画の画像データを出力する。
【００１６】
画像処理部４は、ＣＰ３に制御されることにより、記憶部５に記憶されている画像処理条件に基づいて、バッファメモリ部６に記憶されている画像データに対して画像処理を実行する。ここで、バッファメモリ部６に記憶されている画像データとは、例えば上述した、静止画の画像データ、スルー画像データ、動画の画像データ、または後述する記憶媒体２００から読み出された画像データである。
【００１７】
記憶部５には、撮像装置１００を制御するための、撮影条件、画像処理条件、再生制御条件、表示制御条件、記録制御条件、及び出力制御条件などのプログラムが記憶されている。また、記憶部５は、縦横比情報記憶部５１を備えている。縦横比情報記憶部５１には、画像データの記録画素数または印刷用紙サイズに基づいた縦横比の情報が記憶されている。例えば、記憶部５は、ＲＯＭ（Read Only Memory）である。
なお、記憶部５には、撮像された動画の画像データ及び静止画の画像データが記録されてもよい。この場合、例えば、記憶部５は、フラッシュメモリ等を用いてもよい。
【００１８】
バッファメモリ部６は、例えばＲＡＭ（Random Access Memory）であり、ＣＰＵ３が撮像装置１００を制御する際の作業領域として利用される。撮像部２によって撮像された静止画の画像データ、スルー画像データ、または動画の画像データや後述する記憶媒体２００から読み出された画像データは、ＣＰＵ３の制御による画像処理の過程においてバッファメモリ部６に一時的に記憶される。
【００１９】
表示部７は、例えば液晶ディスプレイであり、ＣＰＵ３の制御により、撮像部２によって撮像された画像データに基づく画像や、メニュー画面、または再生画像データに基づく画像等を表示する。なお、表示部７は、撮像装置１００に取り付けられて一体とされていてもよいし、撮像装置１００に接続されて表示する各種のモニターであってもよい。
【００２０】
カードコネクタ８には、カードメモリ等の着脱可能な記憶媒体２００が挿入される。カードコネクタ８を介して、ＣＰＵ３の制御により、この記憶媒体２００に画像データの書込み、読み出し、または消去が実行される。
記憶媒体２００は、撮像装置１００に対して着脱可能に接続される記憶部であり、例えば、撮像部２で撮像される画像データや、画像データに関連付けられた情報等が記録される。
【００２１】
外部入出力部９は、ＣＰＵ３の制御により、撮像装置１００の外部装置と、画像データ、画像データに関連付けられた情報、または制御信号等を通信する。外部入出力部９における通信としては、例えば、ＵＳＢ（Universal Serial Bus）、ＩＥＥＥ１３９４（Institute of Electrical and Electronics Engineers 1394）、またはＩｒＤＡ（Infrared Data Association）等の通信規格を用いた通信や、Bluetooth等の通信技術を用いた通信がある。また、外部入出力部９は、画像データの出力として、ＮＴＳＣ、またはＰＡＬ規格や、ＨＤＭＩ（High-Definition Multimedia Interface）規格等を用いた映像信号出力を備える。
【００２２】
操作部１１は、撮像装置１００に対してユーザーが操作入力するための操作スイッチであり、電源スイッチＳＷ１、レリーズスイッチＳＷ２、モードスイッチＳＷ３、メニュースイッチＳＷ４、上下左右選択スイッチＳＷ５、確定スイッチＳＷ６、取消スイッチＳＷ７、情報表示スイッチＳＷ８、及び領域変更スイッチＳＷ９を備える。操作部１１の備える上述の各スイッチは、操作されることに応じて、それぞれの操作に対応した操作信号を、ＣＰＵ３に出力する。
【００２３】
電源スイッチＳＷ１は、操作されることに応じて、撮像装置１００の電源オンまたは電源オフを指示する操作信号を出力する。レリーズスイッチＳＷ２は、レリーズスイッチＳＷ２が半押しされた場合には撮影の開始を示す半押し操作信号を出力し、全押しされた場合には撮影することを示す全押し操作信号を出力する。
【００２４】
モードスイッチＳＷ３は、操作されることに応じて、撮像装置１００の静止画撮影モード、動画撮影モード、または再生モードを切換えるための操作信号を出力する。メニュースイッチＳＷ４は、操作されることに応じて、メニューモードに切り替える操作信号を出力し、表示部７にメインメニュー画面が表示される。
【００２５】
上下左右選択スイッチＳＷ５は、上、下、左、または右選択のそれぞれが選択される操作に応じて、それぞれの選択方向を示す操作信号を出力する。確定スイッチＳＷ６は、操作されることに応じて、操作確定を示す操作信号を出力する。取消スイッチＳＷ７は、操作されることに応じて、操作取消を示す操作信号を出力する。
【００２６】
情報表示スイッチＳＷ８は、表示部７に画像データに基づく画像が表示されている際に、操作されることに応じて、情報表示のオンとオフとを切換える操作信号を出力する。この情報表示とは、例えば、撮影モードにおいて表示される、選択された記録画素数、撮影設定情報、撮影可能枚数、またはフレーミング用のガイド表示等である。領域変更スイッチＳＷ９は、操作されることに応じて、後述する印刷領域を変更するモードに切換える操作信号を出力し、印刷領域表示変更メニューが表示部７に表示される。
【００２７】
バス１０は、撮像部２、ＣＰＵ３、画像処理部４、記憶部５、バッファメモリ部６、表示部７、カードコネクタ８、外部入出力部９、及び操作部１１と接続され、各部から出力された画像データや制御信号等を転送する。
【００２８】
次に、本実施形態における、印刷用紙サイズの縦横比（第２の縦横比）に対応する画像領域（以下、印刷領域とも記述する）を示す情報の制御に関するＣＰＵ３の構成について説明する。ＣＰＵ３は、領域情報生成部３１、表示制御部３２、記録制御部３３、再生制御部３４、及び出力制御部３５を備える。
【００２９】
領域情報生成部３１は、選択された印刷用紙サイズの縦横比（第２の縦横比）に対応する印刷領域を生成する。例えば、選択された記録画素数の縦横比（第１の縦横比）の情報、及び選択された印刷用紙サイズの縦横比（第２の縦横比）の情報を、領域情報生成部３１は、縦横比情報記憶部５１に予め記憶されている複数の縦横比を示す情報から読み出す。
【００３０】
ここで、縦横比情報記憶部５１には、印刷用紙サイズに、寸法、及び縦横比の情報がそれぞれ対応付けられて、予め複数記憶されている（図２（ａ）参照）。また、記録画素数モードに、記録画素数、及び縦横比がそれぞれ対応付けられて、予め複数記憶されている（図２（ｂ）参照）。そして、ユーザーにより、縦横比情報記憶部５１に予め複数記憶されている印刷用紙サイズ、または記録画素数モードは、何れかが選択される。
領域情報生成部３１は、縦横比情報記憶部５１から読み出した、選択された記録画素数の縦横比（第１の縦横比）の情報と、選択された印刷用紙サイズの縦横比（第２の縦横比）の情報とに基づいて、記録画素数に応じた縦横比（第１の縦横比）の画像領域に対する、印刷用紙サイズの縦横比（第２の縦横比）の、表示部７に表示させるための印刷領域を算出する。次に、領域情報生成部３１は、算出した印刷用紙サイズの縦横比（第２の縦横比）の印刷領域を示す情報をバッファメモリ部６に一時的に記憶させるとともに、表示制御部３２に出力する。
【００３１】
すなわち、バッファメモリ部６に一時的に記憶されている、印刷領域の情報は、
（１）選択された印刷用紙サイズを示す情報。
（２）選択された印刷用紙サイズの縦横比を示す情報。
（３）算出した印刷用紙サイズの印刷領域を示す情報。
である。
なお、（３）の算出した印刷用紙サイズの印刷領域を示す情報は、例えば、記録画素数に応じた縦横比（第１の縦横比）の画像領域に対する、印刷領域の表示中心位置を示す情報、印刷領域の縦横の表示寸法を示す情報、または印刷領域の４隅の表示位置を示す情報等である。
【００３２】
また、領域情報生成部３１は、操作部１１からの、印刷用紙サイズの縦横比（第２の縦横比）の印刷領域に対して、縦横変換、移動、拡大、縮小、及び回転の指示に応じて印刷領域を変更し、変更した印刷領域を示す情報をバッファメモリ部６に一時的に記憶させるとともに、表示制御部３２に出力する。
【００３３】
表示制御部３２は、撮像部２によって撮像された画像データを記録する際の縦横比（第１の縦横比）に対応する画像データに基づく画像、または記憶媒体２００から読み出された画像データに基づく画像を、表示部７に表示させるとともに、領域情報生成部３１から入力された印刷用紙サイズの縦横比（第２の縦横比）の印刷領域を示す情報を、前述の画像に重ねて表示部７に表示させる。また、表示制御部３２は、操作部１１からの指示に応じて、メニュー画面を、表示部７に表示させる。
表示制御部３２は、表示部７に、このような画像データに基づく画像、情報、またはメニュー画面等を表示させる制御を実行する。
【００３４】
表示制御部３２は、選択された印刷用紙サイズの縦横比（第２の縦横比）の印刷領域を示す情報を表示させる場合、例えば、選択された記録画素数の縦横比（第１の縦横比）に対応する撮像部２によって撮像された画像データに基づく画像の画像領域のうち、印刷領域の外の領域に対して、前述の画像に半透過のグレーを重ねて、表示部７に表示させる（図３参照）。つまり、表示制御部３２は、撮影した際に記録はされるが、選択された印刷用紙サイズには印刷されない領域に、半透過のグレーを重ねて、表示部７に表示させる。
【００３５】
また、図４は、記録画素数の縦横比が９：１６のモードが選択されていて、またＬ判の印刷用紙サイズが選択されている場合の、表示部７の表示例を示している。図４に示す表示例では、記録画素数の縦横比が９：１６であることに応じて、記録されない画像領域は黒表示され、記録されるがＬ判の印刷用紙サイズには印刷されない画像領域は半透過のグレーが重ねて表示されている。よって、図４に示す表示例では、記録される画像領域と記録されない画像領域とが、ユーザーに判別可能なように異なる表示がされている。
なお、表示制御部３２は、撮像された画像データに基づく画像の画像領域において、印刷領域の外の領域に半透過のグレーを表示させるのに代えて、印刷領域の端を示す枠を表示させてもよい。また、表示制御部３２は、印刷用紙サイズを示す情報、または縦横比を示す情報等を、表示させてもよい。
【００３６】
記録制御部３３は、操作部１１における撮影操作に応じて撮像された画像データを、記憶媒体２００に記録させる。また、記録制御部３３は、領域情報生成部３１により算出された印刷用紙サイズの縦横比（第２の縦横比）の印刷領域を示す情報を、撮像された画像データに関連付けて記憶媒体２００に記録させる。
【００３７】
なお、印刷用紙サイズの縦横比（第２の縦横比）の印刷領域を示す情報を、画像データに関連付ける方法としては、例えば、ＤＰＯＦ（Digital Print Order Format）ファイルにその情報を付加する方法、または画像データのＥｘｉｆ（Exchangeable image file format）情報にその情報を付加する方法等がある。
【００３８】
再生制御部３４は、操作部１１における撮影操作に応じて、記憶媒体２００に記録されている画像データと、当該画像データに関連付けられた印刷領域を示す情報とを読み出して、バッファメモリ部６に一時的に記憶させる。
【００３９】
出力制御部３５は、バッファメモリ部６に一時的に記憶されている画像データ、または画像データに関連付けられた情報を、通信内容に応じたデータに変換して、外部入出力部９を介して出力する。例えば、外部装置が後述するプリンター３００の場合、出力制御部３５は、操作部１１における印刷操作に応じて、印刷する画像データと、当該画像データに関連付けられた印刷領域を示す情報とを、プリンター３００に出力する。
このように、出力制御部３５は、このような画像データ、または情報を、外部入出力部９に出力させる制御を実行する。
また、出力制御部３５は、外部入出力部９と撮像装置１００の外部装置との間で送受信される通信を制御する。
【００４０】
プリンター３００は、デジタル画像データを印刷する印刷装置である。プリンター３００は、撮像装置１００が備える外部入出力部９と有線または無線により接続されて画像データが入力され、入力された画像データを印刷する。なお、プリンター３００は、記憶媒体２００が接続されて画像データが入力されて印刷してもよい。また、プリンター３００は、インターネットを介して送信される画像データが入力されて印刷してもよい。
【００４１】
次に、本実施形態の動作について説明する。
＜選択された印刷領域を、スルー画に重ねて表示させる動作＞
図５は、本実施形態における撮像装置１００が、選択された印刷用紙サイズの縦横比（第２の縦横比）の印刷領域を示す情報を、記録画素数の縦横比（第１の縦横比）に対応するスルー画に重ねて表示させて撮影される処理の一例を示すフロー図である。また、図６は、図５に示す処理を実行する中で、ユーザーが操作することに応じて、ＣＰＵ３の表示制御部３２が、表示部７に表示させるメニュー画面を示している。
以下、図５及び図６を用いて、撮像装置１００が、表示部７に、選択された印刷領域を、スルー画に重ねて表示させる動作について説明する。
【００４２】
ここでは、操作部１１のモードスイッチＳＷ３により静止画撮影モードが選択されているものとして説明する。まず、ユーザーにより電源スイッチＳＷ１が押されると、撮像装置１００は、静止画撮影モードで起動し、表示部７にスルー画を表示させる。次に、ユーザーによりメニュースイッチＳＷ４が押されると、ＣＰＵ３の表示制御部３２は、表示部７にメインメニューを表示させる（図６の（ａ）参照）。メインメニューにおいて、ユーザーにより、上下左右選択スイッチＳＷ５が操作され、初期設定が選択されて、確定スイッチＳＷ６が押されると、表示制御部３２は、表示部７に、初期設定メニューを表示させる。
【００４３】
ＣＰＵ３は、表示部７に、この初期設定メニューを表示させて、ユーザーに印刷領域表示設定を選択させる。初期設定メニューにおいて、ユーザーにより上下左右選択スイッチＳＷ５が操作され、印刷領域表示設定が選択されると、ＣＰＵ３の表示制御部３２は、表示部７に、印刷領域の表示ＯＮまたは表示ＯＦＦを選択するサブメニューを表示させる（図６の（ｂ）、または図５のステップＳ１０１）。ユーザーにより、上下左右選択スイッチＳＷ５の上選択または下選択が押されることにより表示ＯＮまたは表示ＯＦＦが選択され、確定スイッチＳＷ６が押されることにより、選択された表示ＯＮまたは表示ＯＦＦが確定される。
【００４４】
図５のステップＳ１０２において、すなわち図６の（ｂ）に示すメニューにおいて、ユーザーにより表示ＯＮが選択された場合、ＣＰＵ３は、ステップＳ１０３に処理を進める。また、図５のステップＳ１０２において、すなわち図６の（ｂ）に示すメニューにおいて、ユーザーにより表示ＯＦＦが選択された場合、ＣＰＵ３は、ステップＳ１１０に処理を進める。
【００４５】
図５のステップＳ１０３において、ＣＰＵ３の表示制御部３２は、用紙選択１のメニュー画面を表示部７に表示させ（図６の（ｃ）参照）、ユーザーに印刷用紙サイズの種類を選択させる。ユーザーは、上下左右選択スイッチＳＷ５と確定スイッチＳＷ６とを操作して、印刷用紙サイズの種類を選択する。
次に、表示制御部３２は、用紙選択２のメニュー画面を表示部７に表示させ（図６の（ｄ）参照）、ユーザーに縁あり印刷、または縁なし印刷を選択させる。ユーザーは、上下左右選択スイッチＳＷ５と確定スイッチＳＷ６とを操作して、縁あり印刷、または縁なし印刷を選択する（図５のステップＳ１０４）。
【００４６】
続いて、ＣＰＵ３の領域情報生成部３１は、選択された印刷用紙サイズの縦横比（第２の縦横比）に対応する印刷領域を生成する（ステップＳ１０５）。つまり、領域情報生成部３１は、縦横比情報記憶部５１から、選択された記録画素数の縦横比（第１の縦横比）の情報と、選択された印刷用紙サイズの縦横比（第２の縦横比）の情報とを読み出す。また、選択された縁あり印刷または縁なし印刷の情報により、予め設定されている、印刷用紙サイズに印刷する際の縁の寸法、または縁なし印刷時の印刷マージンとして印刷用紙サイズに対してはみ出させる画像領域の寸法に基づいて、領域情報生成部３１は、縦横比情報記憶部５１から読み出した縦横比の情報を補正して算出する。そして、領域情報生成部３１は、記録画素数の縦横比（第１の縦横比）の画像データに基づく画像の中心と、印刷用紙サイズの縦横比（第２の縦横比）の印刷領域の中心とを一致させ、且つ印刷用紙サイズの縦横比（第２の縦横比）の印刷領域の長辺と短辺とが、記録画素数の縦横比（第１の縦横比）の画像データに基づく画像の長辺と短辺とにそれぞれ対応する方向に位置するように、印刷用紙サイズの縦横比（第２の縦横比）の印刷領域を算出する。すなわち、領域情報生成部３１は、記録画素数の縦横比（第１の縦横比）の画像領域の中で、印刷用紙サイズの縦横比（第２の縦横比）の印刷領域が最大の画像領域となるように生成する。
【００４７】
次に、図５のステップＳ１０６において、領域情報生成部３１が生成した印刷用紙サイズの縦横比（第２の縦横比）の印刷領域を示す情報を、表示制御部３２は、表示部７に、撮像部２から出力されるスルー画に重ねて表示させる（図２参照）。
【００４８】
ユーザーは、選択した印刷用紙サイズの縦横比（第２の縦横比）の印刷領域を示す情報がスルー画に重ねて表示されている表示部７を見ながら、主要被写体が印刷領域の中に入るように撮影の構図を決め、操作部１１のレリーズスイッチＳＷ２を操作して撮影を行う。ユーザーにより、操作部１１のレリーズスイッチＳＷ２が操作されて撮影されることに応じて、撮像装置１００の撮像部２は、ＣＰＵ３の制御により被写体を撮像する。（ステップＳ１０７）。撮像部２により撮像された画像データは、ＣＰＵ３の制御により、画像処理部４において画像処理され、バッファメモリ部６に一時的に記憶される。
【００４９】
次に、記録制御部３３は、上述のバッファメモリ部６に一時的に記憶された画像データを、記憶媒体２００に記録させる。また、記録制御部３３は、領域情報生成部３１により算出された印刷用紙サイズの縦横比（第２の縦横比）の印刷領域を示す情報を、撮像された画像データと関連付けて記憶媒体２００に記録させる（ステップＳ１０８）。
【００５０】
ステップＳ１０９において、電源スイッチＳＷ１が操作されて電源がオフされる、またはモードスイッチＳＷ３が操作されて再生モードに切換えられる、等のユーザーによる操作に応じて撮影が終了された場合、ＣＰＵ３は、処理を終了する。また、ステップＳ１０９において、撮影が終了されない場合、ＣＰＵ３は、ステップＳ１０７に処理を戻し、ユーザーの操作に応じて、撮影動作を繰り返す。
【００５１】
一方、図５のステップＳ１０２において、すなわち図６の（ｂ）に示すメニューにおいて、ユーザーにより表示ＯＦＦが選択された場合、ＣＰＵ３は、ステップＳ１１０に処理を進める。その場合、ＣＰＵ３は、本実施形態の印刷領域表示は実行せずに、撮影（ステップＳ１１０）、撮影画像データの記録（ステップＳ１１１）、及び撮影終了判定（ステップＳ１１２）の処理を実行する。
【００５２】
以上のように、撮像装置１００は、選択された印刷用紙サイズの縦横比（第２の縦横比）の印刷領域を示す情報を、スルー画に重ねて表示部７に表示させる。そのため、ユーザーは、撮影する際に、選択した印刷用紙サイズによってトリミングされる画像領域を確認することができる。そして、ユーザーにより、撮影する際に、主要被写体が印刷領域の中に入るように構図を決めて撮影された画像データが、記憶媒体２００に記録される。また、一般的なプリンター３００においては、画像データに基づく画像の中心と印刷用紙サイズの中心とを一致させ、且つ画像データに基づく画像の長辺と短辺とが、印刷用紙サイズの長辺と短辺とにそれぞれ対応する方向に位置させて、印刷用紙に印刷される。よって、プリンター３００において、記録された画像を、ユーザーが撮影する際に選択した印刷用紙サイズに印刷する場合、ユーザーが撮影する際に確認した印刷領域が印刷される。
【００５３】
＜複数の印刷領域を選択して表示させる場合の動作＞
次に、本実施形態における撮像装置１００が、複数の選択された印刷用紙サイズの縦横比（第２の縦横比）の印刷領域を示す情報を表示部７に表示させる場合の動作について説明する。図７は、ユーザーが複数の印刷用紙サイズを選択する場合に、ＣＰＵ３の表示制御部３２が、表示部７に表示させるメニュー画面を示している。
以下、前述の図５に示したフロー図、及び図７を用いて、２種類の印刷用紙サイズを選択する場合について説明する。なお、図５、及び図６を用いて説明した１種類の印刷用紙サイズを選択する場合についての動作と同様の内容については、その説明を省略する。
【００５４】
図７の（ａ）に示すメインメニューは図６の(ａ)と同様であり、メインメニューにおいて、ユーザーにより初期設定が選択される。初期設定メニューにおいて、ユーザーにより上下左右選択スイッチＳＷ５が操作され、印刷領域表示設定が選択されると、ＣＰＵ３の表示制御部３２は、表示部７に、印刷領域の複数表示ＯＮ、表示ＯＮ、または表示ＯＦＦを選択するサブメニューを表示させる（図７の（ｂ）、または図５のステップＳ１０１）。ユーザーにより、上下左右選択スイッチＳＷ５の上選択または下選択が押されることにより複数表示ＯＮが選択され、確定スイッチＳＷ６が押されることにより確定される。図５のステップＳ１０２において、すなわち図７の（ｂ）に示すメニューにおいて、ユーザーにより複数表示ＯＮが選択された場合、ＣＰＵ３は、ステップＳ１０３に処理を進める。
【００５５】
ステップＳ１０３において、ＣＰＵ３の表示制御部３２は、用紙選択１のメニューを表示部７に表示させる（図７の（ｃ）参照）ユーザーに印刷用紙サイズの種類を選択させる。ユーザーは、上下左右選択スイッチＳＷ５と確定スイッチＳＷ６とを操作して、印刷用紙サイズの種類を複数選択する。ユーザーは、印刷用紙サイズの選択が完了した場合、上下左右選択スイッチＳＷ５と確定スイッチＳＷ６とを操作して、選択完了を選択して確定する。例えば、図７においては、Ｌ判と六切の印刷用紙サイズが選択されている。
次に、図７の（ｄ）は図６の（ｄ）に対応しており、図５のステップＳ１０４において、ＣＰＵ３は、図５及び図６を用いて上述した説明と同様の処理を実行する。
【００５６】
続いて、ＣＰＵ３の領域情報生成部３１は、選択された２種類の印刷用紙サイズの縦横比（第２の縦横比）に対応する印刷領域を生成する（ステップＳ１０５）。次に、図５のステップＳ１０６において、領域情報生成部３１が生成した２種類の印刷用紙サイズの縦横比（第２の縦横比）の印刷領域を示す情報を、表示制御部３２は、表示部７に、撮像部２から出力されるスルー画に重ねて表示させる（図８参照）。
また、ステップＳ１０８において、記録制御部３３は、記憶された画像データを記憶媒体２００に記録させる場合、領域情報生成部３１により算出された２種類の印刷用紙サイズの縦横比（第２の縦横比）の印刷領域を示す情報を、撮像された画像データと関連付けて記録させる。
【００５７】
図８は、２種類の印刷用紙サイズが選択された場合に、選択された２種類の印刷用紙サイズの縦横比（第２の縦横比）の印刷領域を示す情報が、表示部７に表示される一例を示している。図８に示す例において、表示制御部３２は、Ｌ判及び六切の印刷用紙サイズの縦横比（第２の縦横比）の印刷領域の端を示す枠を表示させており、Ｌ判の印刷領域の枠を実線、六切の印刷領域の枠を破線とすることで、２種類の印刷領域を区別できるように表示させている。なお、表示制御部３２は、複数種類の印刷用紙サイズの印刷領域の枠を表示させる場合、それぞれの印刷用紙サイズの印刷領域の枠毎に、色を変えて表示させることで、複数種類の印刷領域を区別できるように表示させてもよい。
【００５８】
＜印刷領域を縦横変換、移動、拡大、縮小、または回転させる場合の動作＞
次に、本実施形態の撮像装置１００において、ＣＰＵ３が、印刷用紙サイズの縦横比（第２の縦横比）の印刷領域を示す情報を、ユーザーの操作に応じて、縦横変換、移動、拡大、縮小、または回転して表示部７に表示させる場合の動作について説明する。
【００５９】
領域情報生成部３１は、操作部１１からの、印刷用紙サイズの縦横比（第２の縦横比）の印刷領域の縦横変換、移動、拡大、縮小、及び回転の指示に応じて印刷領域を変更し、変更した印刷領域を示す情報をバッファメモリ部６に一時的に記憶させるとともに、表示制御部３２に出力する。ここでいう縦横変換とは、印刷領域の長辺と短辺との比が逆数の比となるような印刷領域の変換である。表示制御部３２は、領域情報生成部３１から入力された印刷領域を示す情報を、表示部７に表示させる。記録制御部３３は、バッファメモリ部６に一時的に記憶されている、縦横変換、移動、拡大、縮小、及び回転された印刷用紙サイズの縦横比（第２の縦横比）の印刷領域を示す情報を、撮像された画像データと関連付けて記憶媒体２００に記録させる。
【００６０】
図９は、ユーザーが印刷領域を縦横変換、移動、拡大、縮小、または回転させる場合に、ＣＰＵ３の表示制御部３２が、表示部７に表示させるメニュー画面を示している。
ユーザーが、操作部１１の領域変更スイッチＳＷ９が押すと、表示制御部３２は、表示部７に印刷領域変更メニューを表示させる（図９参照）。表示された図９に示す印刷領域変更メニューにおいて、ユーザーが上下左右選択スイッチＳＷ５を操作して、縦横変換、移動、拡大・縮小、または回転を選択し、確定スイッチＳＷ６を押すことにより選択が確定される。
【００６１】
縦横変換、移動、拡大・縮小、または回転が選択されると、表示制御部３２は、表示部７に、領域情報生成部３１が生成した印刷用紙サイズの縦横比（第２の縦横比）の印刷領域を示す情報を、撮像部２から出力される画像データに基づく画像に重ねて表示させる。
【００６２】
縦横変換が選択された場合、例えば、上下左右選択スイッチＳＷ５の上選択または下選択を操作することに応じて、表示部７に表示されている印刷領域の縦横が変更されて表示される。移動が選択された場合、例えば、上下左右選択スイッチＳＷ５の上下左右選択のそれぞれを操作することに応じて、表示部７に表示されている印刷領域が移動されて表示される。拡大・縮小が選択された場合、例えば、上下左右選択スイッチＳＷ５の上選択または下選択を操作することに応じて、表示部７に表示されている印刷領域が拡大または縮小されて表示される。回転が選択された場合、例えば、上下左右選択スイッチＳＷ５の左選択または右選択を操作することに応じて、表示部７に表示されている印刷領域が、左回転または右回転されて表示される。
【００６３】
また、図９に示す印刷領域変更メニューにおいて、用紙選択が選択された場合、表示制御部３２は、表示部７に用紙選択メニュー１（図６の（ｃ）、または図７の（ｃ）参照）を表示させて、ＣＰＵ３は、ユーザーに印刷用紙サイズを選択させる処理に進める。
【００６４】
ここで、図１０は、記録画素数の縦横比（第１の縦横比）に対応する画像データに基づく画像が、１：１（正方形）の縦横比に対応する画像である場合に、表示制御部３２が、表示部７に、印刷領域を示す情報をスルー画に重ねて表示させている例を示している。図１０は、ユーザーが印刷領域の縦横変換をした場合の例を示しており、図１０の（ａ）は、表示部７に、印刷領域が横方向に表示されている場合であって、図１０の（ｂ）は、印刷領域が縦方向に表示されている場合の例を示している。
【００６５】
記録画素数の縦横比が１：１の場合、横長である印刷用紙サイズを横方向に位置させた印刷領域（図１０の（ａ）参照）と、縦方向に位置させた印刷領域（図１０の（ｂ）参照）とは、印刷領域の大きさが同等である。そのため、ＣＰＵ３の制御としては、印刷領域が大きい方向を選択する場合において、印刷領域を横方向に位置させても、縦方向に位置させても同じである。しかし、ユーザーにとっては、撮像装置１００を横位置で保持する方が安定して操作できる。そのため、ユーザーにとっては、横位置で保持した撮像装置１００において、被写体の構図によって印刷領域の横方向と縦方向との表示が選択できることが望ましい。
【００６６】
よって、ユーザーにより、被写体の構図によって印刷領域の横方向または縦方向が選択された場合、撮像装置１００は、表示部７に表示させる印刷領域の縦横を変換して表示させることができる。なお、撮像装置１００は、被写体を撮像して生成した画像データにおいて、人物または動物の顔検出を実行し、検出した顔の位置に基づいて、印刷領域を縦方向に位置させるか、または横方向に位置させかを判定して表示部７に表示させてもよい。
【００６７】
また、図１１は、ユーザーが印刷領域の移動と縮小を実行した場合の、表示部７の表示例を示している。ユーザーは、印刷領域としては人物を主要被写体とした構図に、記録される画像としては周囲の風景も含んだ構図にしたい場合であって、人物が主要被写体となるように、印刷領域を移動及び縮小する操作をしている。図１１は、このユーザーによる印刷領域を移動及び縮小する操作に応じて、ＣＰＵ３の表示制御部３２が、表示部７に、移動及び縮小された印刷領域をスルー画に重ねて表示させている例である。よって、撮像装置１００は、記録される画像領域と印刷される印刷領域との両方の構図に対応した撮影が可能となるように、表示部７に表示させる印刷領域を変更できる。
【００６８】
＜撮像装置１００が、プリンター３００と通信して印刷させる場合の動作＞
図１２は、本実施形態における撮像装置１００が、撮像装置１００の外部入出力部９を介してプリンター３００と通信して印刷する場合の処理の一例を示すフロー図である。また、図１３は、図１２に示す処理を実行する中で、ユーザーが操作することに応じて、ＣＰＵ３の表示制御部３２が、表示部７に表示させるメニュー画面を示している。
以下、図１２及び図１３を用いて撮像装置１００がプリンター３００と通信して印刷する動作について説明する。
【００６９】
図１３の（ａ）に示すメインメニューは、図６の（ａ）と対応しており、メインメニューにおいて、ユーザーにより、上下左右選択スイッチＳＷ５が操作され、通信機能が選択されて、確定スイッチＳＷ６が押されると、表示制御部３２は、表示部７に、通信機能メニューを表示させる。
【００７０】
通信機能メニューにおいて、ユーザーにより上下左右選択スイッチＳＷ５が操作され、印刷出力が選択されると、ＣＰＵ３の表示制御部３２は、表示部７に、日付ありまたは日付なし印刷を選択するサブメニューを表示させる（図１３の（ｂ）、または図１２のステップＳ２０１）。そして、ＣＰＵ３は、表示部７に表示させた日付ありまたは日付なし印刷を選択するサブメニューにおいて、ユーザーに日付ありまたは日付なしを選択させる（図１２のステップＳ２０２）。ユーザーにより、上下左右選択スイッチＳＷ５の上選択または下選択が押されることにより、日付ありまたは日付なしが選択され、確定スイッチＳＷ６が押されることにより、選択された日付ありまたは日付なしが確定される。
【００７１】
図１２のステップＳ２０３において、表示制御部３２は、再生制御部３４により記憶媒体２００から読み出されてバッファメモリ部６に一時的に記憶された画像データに基づく画像と、当該画像データに関連付けられた印刷領域を示す情報とを、表示部７に、重ねて表示させる。また表示制御部３２は、印刷枚数の設定、及び印刷実行または取消等のメニューを、表示部７に、画像データに基づく画像に重ねて表示させる（図１３の（ｃ）参照）。ここで、図１３の（ｃ）に示した印刷画像を選択する画面の例において、表示制御部３２は、表示部７に、印刷領域を示す枠を表示させるとともに、選択された印刷用紙サイズ（この例では、Ｌ判）の情報を用いて、「Ｌ判プリントがお勧めです」を表示させて、ユーザーに、選択された印刷用紙サイズを知らせている。
【００７２】
図１３の（ｃ）に示した印刷画像を選択する画面の例において、ユーザーにより、上下左右選択スイッチＳＷ５の左選択または右選択が押されることにより、ＣＰＵ３は、画像をコマ送りして表示部７に表示させ、ユーザーに印刷画像を選択させる（図１２のステップＳ２０４）。次に、ユーザーにより、上下左右選択スイッチＳＷ５の上選択または下選択が押されることにより、ＣＰＵ３は、印刷する枚数を増加または減少させて表示部７に表示させ、ユーザーに印刷枚数を設定させる（ステップＳ２０５）。
【００７３】
ステップＳ２０６において、ユーザーにより、印刷する画像選択が終了されていない場合、ＣＰＵ３は、ステップＳ２０４に処理を戻し、画像選択（ステップＳ２０４）、及び印刷枚数の設定（ステップＳ２０５）をさせる処理を繰り返す。また、ステップＳ２０６において、ユーザーにより、印刷する画像選択が終了された場合、ＣＰＵ３は、ステップＳ２０７に処理を進める。
【００７４】
ステップＳ２０７において、ＣＰＵ３は、ユーザーに印刷を実行するか否かを選択させる。ステップＳ２０７において、ユーザーにより操作部１１の確定スイッチＳＷ６が押された場合（印刷実行）、ＣＰＵ３の出力制御部３５は、選択された印刷画像の画像データをバッファメモリ部６から読み出し、設定された枚数に応じて、読み出した画像データを、外部入出力部９に出力させて処理を終了する。ステップＳ２０７において、ユーザーにより取消スイッチＳＷ７が押された場合（印刷取消）、ＣＰＵ３は処理を終了する。
【００７５】
このように、撮像装置１００は、プリンター３００と通信して印刷する場合、画像データに関連付けられた印刷領域を示す情報に基づいて、表示部７に、ユーザーに選択されている印刷用紙サイズを表示して知らせるとともに、ユーザーが印刷領域を確認できるように、印刷領域を示す情報を表示させる。
【００７６】
＜画像データに関連付けられた印刷用紙サイズに基づいて、印刷用紙サイズを選択して印刷するプリンター３００と通信して、撮像装置１００が印刷させる場合の動作＞
図１４は、本実施形態における撮像装置１００が、プリンター３００と通信して印刷する場合において、画像データに関連付けられた印刷用紙サイズの情報に基づいてプリンター３００が当該印刷用紙サイズに印刷する場合の、撮像装置１００における処理の一例を示すフロー図である。この例において、プリンター３００は、入力される印刷用紙サイズの情報に基づいて、印刷用紙サイズを選択する印刷装置である。また、図１５は、図１４に示す処理を実行する中で、ユーザーが操作することに応じて、ＣＰＵ３の表示制御部３２が、表示部７に表示させるメニュー画面を示している。
以下、図１４及び図１５を用いて撮像装置１００がプリンター３００と通信して印刷する動作について説明する。なお、図１４及び図１５において、図１２及び図１３と同様の処理に関しては、その説明を省略する。
【００７７】
図１３の（ａ）に示すメインメニューは、図１２の（ａ）と対応している。また、図１３の（ｂ）に示す通信機能メニューは、図１２の（ｂ）と対応しており、図１４のステップＳ３０１及びステップＳ３０２は、図１２のステップＳ２０１及びステップＳ２０２と対応している。
【００７８】
図１４のステップＳ３０３において、表示制御部３２は、再生制御部３４が記憶媒体２００から読み出してバッファメモリ部６に一時的に記憶させた画像データに基づく画像と、当該画像データに関連付けられた印刷領域を示す情報とを、表示部７に、重ねて表示させる。また表示制御部３２は、印刷枚数の設定、及び印刷実行または取消等のメニューを、表示部７に、画像データに基づく画像に重ねて表示させる（図１５の（ｃ）参照）。ここで、図１５の（ｃ）に示した印刷画像を選択する画面の例において、表示制御部３２は、表示部７に、印刷領域を示す枠を表示させる。また、表示制御部３２は、選択された印刷用紙サイズ（この例では、Ｌ判）の情報に基づいて、表示部７に、「Ｌ判が設定されています」を表示させて、ユーザーに、プリンター３００において、当該選択された印刷用紙サイズが選択されることを知らせている。
【００７９】
図１４のステップＳ３０４及びステップＳ３０５は、図１２のステップＳ２０４及びステップＳ２０５と対応しており、その説明を省略する。また、図１４のステップＳ３０６は、図１２のステップＳ２０７と対応しており、ＣＰＵ３は、ユーザーに印刷を実行するか否かを選択させる。ステップＳ３０６において、ユーザーにより操作部１１の確定スイッチＳＷ６が押された場合（印刷実行）、ＣＰＵ３は、ステップＳ３０７に処理を進める。ステップＳ３０６において、ユーザーにより取消スイッチＳＷ７が押された場合（印刷取消）、ＣＰＵ３は処理を終了する。
【００８０】
ステップＳ３０７において、撮像装置１００がプリンター３００に印刷を実行させる前に、撮像装置１００の表示制御部３２は、表示部７に、印刷用紙サイズの確認画面を表示させる。例えば、表示制御部３２は、表示部７に、選択された印刷用紙サイズ（この例では、Ｌ判）の情報を用いて、「Ｌ判に印刷します  よろしいですか？」を表示させる。ユーザーが、Ｌ判に印刷することを同意し（「はい」）、操作部１１の確定スイッチＳＷ６を押した場合、出力制御部３５は、記憶媒体２００から読み出されてバッファメモリ部６に一時的に記憶されている印刷画像の画像データと、当該画像データに関連付けられた印刷領域を示す情報とを読み出す。そして、出力制御部３５は、外部入出力部９に、設定された枚数に応じて、読み出した印刷画像の画像データを出力させるとともに、当該画像データに関連付けて、印刷領域を示す情報を出力させ、処理を終了する。プリンター３００は、撮像装置１００の外部入出力部９から入力された画像データと印刷領域を示す情報とに基づいて、選択された印刷用紙サイズ（この例では、Ｌ判）に画像データを印刷する。また、ユーザーが、Ｌ判に印刷することに同意しないで（「いいえ」）、操作部１１の取消スイッチＳＷ７を押した場合、ＣＰＵ３は、ステップＳ３０９に処理を進める。
【００８１】
ステップＳ３０９において、ＣＰＵ３の表示制御部３２は、表示部７に、印刷用紙サイズを変更するか否かの確認画面を表示させる（図１５の（ｅ）参照）。ユーザーが印刷用紙サイズを変更しない（「いいえ」）場合、ＣＰＵ３は、ステップＳ３０６に処理を戻す。ユーザーが印刷用紙サイズを変更する（「はい」）場合、ＣＰＵ３は、ステップＳ３１０に処理を進める。
【００８２】
ステップＳ３１０において、ＣＰＵ３の表示制御部３２は、表示部７に印刷用紙を選択する画面を表示させ、ユーザーに、変更する印刷用紙サイズを選択させる。そして、ステップＳ３１１において、領域情報生成部３１は、選択された印刷用紙サイズの縦横比（第２の縦横比）に対応する印刷領域を生成する。次に、ステップＳ３１２において、領域情報生成部３１が生成した印刷用紙サイズの縦横比（第２の縦横比）の印刷領域を示す情報を、表示制御部３２は、表示部７に、撮像部２から出力されるスルー画に重ねて表示させる。そして、ＣＰＵ３は、ステップＳ３０６に処理を戻す。このステップＳ３１０からステップＳ３１２の印刷用紙サイズを変更する処理については、図１６を用いて後述する。
【００８３】
このように、画像データに関連付けられた印刷領域を示す情報に基づいてプリンター３００がその印刷用紙サイズに印刷する場合、撮像装置１００は、表示部７に、ユーザーに選択されている印刷用紙サイズを表示して知らせるとともに、印刷領域を確認できるように、印刷領域を示す情報を表示させる。また、撮像装置１００は、表示部７に、印刷実行の前に印刷用紙サイズの確認画面を表示させ、ユーザーが印刷用紙サイズを変更したい場合は、ユーザーが印刷用紙サイズを変更してから印刷される処理がなされる。
【００８４】
なお、上述の図１４に示す処理において、ユーザーが印刷する用紙を変更した場合、撮像装置１００は、画像データに関連付けられた印刷用紙サイズの情報を変更する処理をユーザーに選択させて実行してもよい。情報を変更する処理については、図１６を用いて後述する。
【００８５】
また、上述の図１４に示す処理において、撮像装置１００がプリンター３００に出力する印刷用紙サイズと、プリンター３００で選択されている印刷用紙サイズとが異なる場合、撮像装置１００とプリンター３００との間で、それぞれの印刷用紙サイズの情報が送受信され、撮像装置１００のＣＰＵ３は、送受信された印刷用紙のサイズを比較し、印刷用紙サイズが異なることをユーザーに注意する表示を、撮像装置１００の表示部７に表示させてもよい。
【００８６】
また、上述の図１４に示す処理において、撮像装置１００がプリンター３００に出力する印刷用紙サイズと、プリンター３００で選択されている印刷用紙サイズとが異なる場合、撮像装置１００は、プリンター３００に出力する画像データを縮小して縁あり印刷させてもよい。
【００８７】
また、上述の図１４に示す処理において、印刷用紙サイズの情報に基づいて印刷用紙サイズを選択するプリンター３００の例を示したが、プリンター３００は、印刷用紙サイズの情報に限らず、印刷領域の位置（移動された位置）、大きさ（拡大または縮小された大きさ）、または方向（縦横変換または回転された方向）等の情報に基づいて、自動的に印刷用紙サイズと印刷領域とを選択して適切に印刷してもよい。この場合、撮像装置１００は、印刷領域の位置、大きさ、または方向等の情報が含まれた印刷領域を示す情報を、画像データに関連付けて、プリンター３００に出力する。これにより、印刷領域に基づいた印刷がされる。
【００８８】
なお、出力制御部３５は、外部入出力部９に画像データを出力させる場合、当該画像データに関連付けられた印刷領域を示す情報に基づいて、当該画像データがトリミングされた画像データを出力させてもよい。
例えば、ユーザーの操作により選択された印刷画像の画像データは、再生制御部３４により記憶媒体２００から読み出され、バッファメモリ部６に一時的に記憶される。出力制御部３５は、バッファメモリ部６に記憶されている画像データと、当該画像データに関連付けられた印刷領域を示す情報とを読み出し、画像処理部４に、読み出した画像データを読み出した印刷領域に基づいてトリミングさせて、バッファメモリ部６に一時的に記憶させる。出力制御部３５は、バッファメモリ部６からトリミングされた画像データを読み出し、外部入出力部９に出力させる。
【００８９】
これにより、撮像装置１００は、記憶媒体２００に記憶された画像データを、一時的に印刷領域に基づいてトリミングして出力する。よって、プリンター３００は、印刷領域の位置、大きさ、または方向等の情報を判別する機能が無い場合であっても、このトリミングされた画像データが入力された場合は、その入力された画像データの画像領域の中心と印刷領域の中心とを一致させ、画像データの画像領域に合わせて印刷する。これにより、印刷領域に基づいた適切な印刷がなされることになる。
【００９０】
＜記録されている画像の印刷領域を示す情報を変更する場合の動作＞
次に、図１６は、本実施形態における撮像装置１００が、記憶媒体２００に記録されている画像データに関連付けられて記録されている印刷領域を示す情報を、変更して記憶させる処理を示すフロー図である。また、図１７は、図１６に示す処理を実行する中で、ユーザーが操作することに応じて、ＣＰＵ３の表示制御部３２が、表示部７に表示させるメニュー画面を示している。
以下、図１６及び図１７を用いて、ＣＰＵ３が、記録されている画像の印刷領域を示す情報を変更する場合の動作について説明する。
【００９１】
図１６の（ａ）に示すメインメニューは図６の(ａ)と対応しており、メインメニューにおいて、ユーザーにより、上下左右選択スイッチＳＷ５が操作され、再生機能が選択されて、確定スイッチＳＷ６が押されると、表示制御部３２は、表示部７に、再生機能メニューを表示させる。
再生機能メニューにおいて、ユーザーにより上下左右選択スイッチＳＷ５が操作され、印刷領域情報変更が選択されると、ＣＰＵ３の表示制御部３２は、表示部７に、印刷領域情報の変更または消去を選択するサブメニューを表示させる（図１７の（ｂ）、図１６のステップＳ４０１）。そして、ＣＰＵ３は、表示部７に表示させた変更または消去を選択するサブメニューにおいて、ユーザーに変更または消去を選択させる（図１６のステップＳ４０２）。ユーザーにより、上下左右選択スイッチＳＷ５の上選択または下選択が押されることにより、変更または消去が選択され、確定スイッチＳＷ６が押されることにより選択された変更または消去が確定される。
【００９２】
図１６のステップＳ４０２、すなわち図１７の（ｂ）に示すメニューにおいて、ユーザーが変更を選択した場合、ＣＰＵ３は、ステップＳ４０３に処理を進める。一方、ユーザーが消去を選択した場合、ＣＰＵ３は、ステップＳ４１０に処理を進める。
【００９３】
ステップＳ４０３において、再生制御部３４は、記憶媒体２００から、画像データと、当該画像データに関連付けられた印刷領域を示す情報とを読み出してバッファメモリ部６に一時的に記憶させる。表示制御部３２は、バッファメモリ部６に一時的に記憶されている画像データに基づく画像を表示（再生）させるとともに、当該画像データに関連付けられた印刷領域を示す情報を、表示部７に重ねて表示させる。また、表示制御部３２は、情報を変更する画像の選択または取消のメニューを、表示部７に、画像データに基づく画像に重ねて表示させる（図１７の（ｃ）参照）。
【００９４】
図１７の（ｃ）に示した情報を変更する画像を選択する画面の例において、ユーザーにより、上下左右選択スイッチＳＷ５の左選択または右選択が押されることにより、ＣＰＵ３は、画像をコマ送りして表示部７に表示させ、ユーザーに画像を選択させる。そして、ユーザーにより、確定スイッチＳＷ６または取消スイッチＳＷ７が操作されて、ＣＰＵ３は、画像の選択または取消を確定する。ユーザーの操作により、情報を変更する画像が選択された場合、ＣＰＵ３は、ステップＳ４０４に処理を進める。また、ユーザーの操作により取消が選ばれた場合、ＣＰＵ３は、処理を終了する。
【００９５】
ステップＳ４０４において、表示制御部３２は、用紙選択のメニューを表示部７に表示させる（図１７の（ｃ）参照）。ユーザーは、上下左右選択スイッチＳＷ５と確定スイッチＳＷ６とを操作して、印刷用紙サイズの種類を選択する。
【００９６】
図１６のステップＳ４０５は、図５のステップＳ１０５に対応しており、領域情報生成部３１は、選択された印刷用紙サイズの縦横比（第２の縦横比）に対応する印刷領域を生成する。次に、ステップＳ４０６において、領域情報生成部３１が生成した印刷用紙サイズの縦横比（第２の縦横比）の印刷領域を示す情報を、表示制御部３２は、表示部７に、選択されている画像に重ねて表示させるとともに、印刷領域情報の変更の実行または取消を選択するメニューを表示させる（図１７の（ｅ）参照）。
【００９７】
ステップ４０７において、ＣＰＵ３は、ユーザーに印刷領域情報を変更するか否かを選択させる。ユーザーは、上下左右選択スイッチＳＷ５と確定スイッチＳＷ６とを操作して、変更実行、または変更取消を選択する。ステップ４０７において、ユーザーにより、変更実行が選択された場合、ＣＰＵ３は、ステップＳ４０８に処理を進める。また、ステップ４０７において、ユーザーにより、変更取消が選択された場合、ＣＰＵ３は、処理を終了する。次に、ステップＳ４０８において、記録制御部３３は、記憶媒体２００に記録されている画像データに関連付けられた印刷領域を示す情報を、領域情報生成部３１により算出された変更後の印刷領域を示す情報に変更して、記憶媒体２００に記録させる。
なお、記録制御部３３が、変更後の印刷領域を示す情報を、記憶媒体２００に記録させる場合、変更前の印刷領域を示す情報を変更して記録させてもよいし、変更前の印刷領域を示す情報は保持して、新規に情報を付加して記録させてもよい。
【００９８】
ステップＳ４０９において、ユーザーにより電源スイッチＳＷ１が操作されて電源をオフする、またはモードスイッチＳＷ３が操作されて撮影モードに切換える等の操作に応じて変更処理が終了された場合、ＣＰＵ３は、処理を終了する。また、変更処理が終了されない場合、ＣＰＵ３は、ステップＳ４０３に処理を戻し、ユーザーに、印刷領域を示す情報を変更する画像の選択をさせる。
【００９９】
一方、ステップＳ４０２、すなわち図１７の（ｂ）に示すメニューにおいて、ユーザーが消去を選択した場合、ＣＰＵ３は、ステップＳ４１０に処理を進め、画像データに関連付けられた印刷領域示す情報を消去する処理に進める。ステップＳ４１０は、ステップＳ４０３の処理に対応し、ＣＰＵ３は、ユーザーに画像の選択をさせる。ステップＳ４１０において、ユーザーの操作により、情報を消去する画像が選択された場合、ＣＰＵ３は、ステップＳ４１１に処理を進める。また、ユーザーの操作により取消が選ばれた場合、ＣＰＵ３は、処理を終了する。
【０１００】
次に、ステップＳ４１１において、記録制御部３３は、記憶媒体２００に記録されている画像データに関連付けられた印刷領域を示す情報を消去して、記憶媒体２００に記録させる。ステップＳ４１２において、ユーザーにより消去処理が終了された場合、ＣＰＵ３は処理を終了する。また、消去処理が終了されない場合、ＣＰＵ３は、ステップＳ４１０に処理を戻し、ユーザーに、印刷領域を示す情報を消去する画像の選択をさせる。
【０１０１】
以上のように、本発明の撮像装置１００において、表示制御部３２は、選択された記録画素数の縦横比（第１の縦横比）に対応する画像データに基づく画像に、選択された印刷用紙サイズの縦横比（第２の縦横比）の印刷領域を示す情報を重ねて表示部７に表示させる。これにより、ユーザーは、印刷領域を示す情報がスルー画に重ねて表示されている表示部７を見ながら、主要被写体が印刷領域の中に入るように撮影の構図を決めて撮影できる。よって、本発明の撮像装置１００によれば、撮影する際に、トリミングされる画像領域を確認することができる。
【０１０２】
なお、本発明において、表示制御部３２は、記録画素数に基づく縦横比に対応する画像データに基づく画像に、印刷領域を示す情報を重ねて表示部７に表示させるため、ユーザーは、記録される領域と印刷領域との両方の構図を確認しながら撮影することができる。よって、ユーザーは、記録される画像の構図を確認しながら、主要被写体の一部が印刷されないことも回避できる。そして、撮像装置１００は、記録される画像を印刷領域に応じてトリミングするわけではないため、記録される画像の記録画素数及び画角に影響しないで、適切な構図で印刷される画像データを撮影して記録できる。
【０１０３】
また、本発明において、記録制御部３３は、印刷領域を示す情報を画像データに関連付けて記録する。そのため、表示制御部３２が、表示部７に記録された画像を表示させる場合、またはプリンター３００に印刷させる場合等において、その印刷領域を示す情報を表示させる。これにより、ユーザーは、印刷領域を示す情報を確認することができる。
【０１０４】
また、本発明において、記録制御部３３は、印刷領域を示す情報を画像データに関連付けて記録させる。そのため、撮像装置１００がプリンター３００に印刷させる場合、撮像装置１００の出力制御部３５は、その印刷領域を示す情報を画像データに関連付けてプリンター３００に出力させることで、プリンター３００は、その印刷領域を示す情報に基づいて、印刷用紙サイズを自動で選択し、適切に印刷領域内の画像データを印刷することが可能となる。
【０１０５】
また、本発明において、撮像装置１００は、画像データに関連付けて記録させた印刷領域を示す情報を、ユーザーの操作に応じて、変更して記録させる。そのため、ユーザーは、撮影の際に選択した印刷領域に対して、より最適な印刷領域に変更すること、または他の印刷用紙サイズに印刷したい場合に印刷領域を確認してから変更すること等ができる。
【０１０６】
また、本発明において、撮像装置１００は、印刷領域を、記録画素数の縦横比（第１の縦横比）に対応するスルー画の中心と印刷領域の中心とを一致させ、且つ印刷領域内の記録画素数が最大となる方向に位置させて表示部７に表示させる。よって、記録された画像データが印刷される場合、印刷領域内の画素数の劣化が少なく、高画質に印刷される。
【０１０７】
また、本発明において、撮像装置１００は、ユーザーの操作に応じて、印刷領域を縦横変換、移動、拡大、縮小、または回転させて表示部７に表示させる。よって、撮像装置１００は、様々な記録画素数の縦横比（第１の縦横比）の画像領域において、様々な印刷用紙サイズの縦横比（第２の縦横比）の印刷領域を表示部７に表示させることができる。また、撮像装置１００は、様々な被写体において、記録される画像領域と印刷される印刷領域との両方の構図に対応した撮影が可能である。
【０１０８】
また、本発明において、表示制御部３２は、ユーザーが選択した印刷用紙サイズに応じて、記憶部５の縦横比情報記憶部５１に予め記憶されている複数の縦横比情報から生成された印刷領域を、表示部７に表示させるため、様々なサイズの印刷用紙サイズに対応できる。
更に、表示制御部３２が、複数の印刷領域を示す情報を表示部７に表示させることで、ユーザーは、複数の印刷領域に対応した構図を確認しながら撮影できる。
【０１０９】
なお、上述した本実施形態においては、記憶媒体２００に記憶されている画像データを再生して表示部７に表示させる場合、撮像装置１００が、当該画像データに関連付けられた印刷領域を示す情報を表示させる場合について説明した。これに限らず、撮像装置１００は、画像データに関連付けられた印刷領域を示す情報に基づいて、画像データを印刷領域にトリミングしてスライドショー再生してもよい。
【０１１０】
また、本実施形態において、撮像装置１００は、画像データに関連付けられた印刷領域を示す情報に基づいて、同じ印刷用紙サイズの印刷領域が選択されている画像データをソートさせて表示部７に表示させてもよい。また、撮像装置１００は、画像データに関連付けられた印刷領域を示す情報に基づいて、同じ印刷用紙サイズの印刷領域が選択されている画像データを集めてフォルダ毎に分類してもよい。
【０１１１】
なお、本実施形態における、印刷用紙サイズの縦横比（第２の縦横比）の印刷領域を示す情報として、表示装置の縦横比（第２の縦横比）の表示領域を示す情報としてもよい。
印刷用紙サイズにさまざまな縦横比の用紙サイズがあるのと同様に、表示装置にも様々な縦横比の表示サイズがある。例えば、テレビ、またはＰＣ（Personal Computer）用のモニターの縦横比は３：４、または９：１６の２種類の縦横比が一般的である。また、携帯電話等のように、縦長の縦横比の表示が一般的なものもある。
【０１１２】
本発明の撮像装置１００は、こうした表示装置の縦横比（第２の縦横比）の表示領域を示す情報を、記録画素数の縦横比（第１の縦横比）に対応する画像データに基づく画像に重ねて表示部７に表示させることで、表示装置に表示された表示領域が、使用者の意図した適切な構図となるように、画像を撮影して記録することができる。例えば、ユーザーは、撮像装置１００を用いて３：４の縦横比で記録した画像を、９：１６の縦横比のテレビで鑑賞する場合、またはその逆の場合において、撮影する際に表示領域を確認しながら撮影できる。そのため、ユーザーは、本実施形態における、印刷用紙サイズの印刷領域を確認しながら撮影する場合と同様に、モニターの表示領域を確認しながら撮影できるという効果を奏する。
【０１１３】
また、図１におけるＣＰＵ３及び画像処理部４の各部の機能を実現するためのプログラムをコンピュータ読み取り可能な記録媒体に記録して、この記録媒体に記録されたプログラムをコンピュータシステムに読み込ませ、実行することにより上述の各部の処理を行ってもよい。なお、ここでいう「コンピュータシステム」とは、ＯＳや周辺機器等のハードウェアを含むものとする。
【０１１４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１１５】
以上、この発明の実施形態を図面を参照して詳述してきたが、具体的な構成はこの実施形態に限られるものではなく、この発明の要旨を逸脱しない範囲の設計等も含まれる。
【符号の説明】
【０１１６】
２・・・撮像部、５・・・記憶部、３２・・・表示制御部、３３・・・記録制御部、
３５・・・出力制御部、１００・・・撮像装置、２００・・・記憶媒体
【図１】
2012044607.tif 000003
【図２】
2012044607.tif 000004
【図３】
2012044607.tif 000005
【図４】
2012044607.tif 000006
【図５】
2012044607.tif 000007
【図６】
2012044607.tif 000008
【図７】
2012044607.tif 000009
【図８】
2012044607.tif 000010
【図９】
2012044607.tif 000011
【図１０】
2012044607.tif 000012
【図１１】
2012044607.tif 000013
【図１２】
2012044607.tif 000014
【図１３】
2012044607.tif 000015
【図１４】
2012044607.tif 000016
【図１５】
2012044607.tif 000017
【図１６】
2012044607.tif 000018
【図１７】
2012044607.tif 000019